(57)【要約】【課題】  消費電力をより少なくする。【解決手段】  単安定マルチバイブレータ５３は、受光部５１から供給される、電気信号としてのSIRCS信号のエッジを検出し、SIRCS信号のエッジを検出してから一定の期間、所定の値の信号をリレー５５に供給する。電源５４は、待機モードにおいて、ディスプレイ３１の各部に電力を供給する。リレー５５は、単安定マルチバイブレータ５３からSIRCS信号のエッジを検出した場合の所定の値の信号が供給されているとき、電源５４からの電力をLVDS送信部５２に供給する経路にある接点を閉じる。本発明はテレビジョン受像機に適用できる。【選択図】  図４
2006332926.tif 000002
【特許請求の範囲】
【請求項１】
相手から送信されてくる、起動を指示する起動信号を検出する検出手段と、
前記起動信号が検出された場合、少なくとも、前記起動信号を相手から受信するか、または前記起動信号を他の相手に送信するのに必要な期間、前記起動信号を相手から受信するか、または前記起動信号を他の相手に送信する通信手段に電源を供給する電源供給手段と
を備えることを特徴とする電気機器。
【請求項２】
前記検出手段は、前記起動信号のエッジを検出し、
前記電源供給手段は、前記起動信号のエッジが検出された場合、前記通信手段に電源を供給する
ことを特徴とする請求項１に記載の電気機器。
【請求項３】
前記電源供給手段は、前記通信手段への電源を供給する経路を接続することにより、前記通信手段に電源を供給する
ことを特徴とする請求項１に記載の電気機器。
【請求項４】
前記検出手段は、リモートコントローラである相手から送信されてくる、SIRCS（Serial Infrared Remote Control System）信号である前記起動信号を検出する
ことを特徴とする請求項１に記載の電気機器。
【請求項５】
前記電源供給手段は、SIRCS信号である前記起動信号が検出された場合、LVDS（Low Voltage Differential Signaling）信号とした前記起動信号を他の相手に送信するのに必要な期間、そのLVDS信号である前記起動信号を他の相手に送信する前記通信手段に電源を供給する
ことを特徴とする請求項４に記載の電気機器。
【請求項６】
前記検出手段は、相手から送信されてくる、LVDS信号である前記起動信号を検出し、
前記電源供給手段は、LVDS信号である前記起動信号が検出された場合、LVDS信号である前記起動信号を相手から受信するのに必要な期間、そのLVDS信号である前記起動信号を相手から受信する前記通信手段に電源を供給する
ことを特徴とする請求項１に記載の電気機器。
【請求項７】
前記起動信号から所定の高周波成分を除去する除去手段をさらに備え、
前記検出手段は、前記高周波成分が除去された前記起動信号を検出する
ことを特徴とする請求項１に記載の電気機器。
【請求項８】
前記起動信号を遅延させ、遅延させた前記起動信号を前記通信手段に供給する遅延手段をさらに備える
ことを特徴とする請求項７に記載の電気機器。
【請求項９】
起動を指示する起動信号によって起動する電気機器の電源供給制御方法において、
相手から送信されてくる、前記起動信号を検出する検出ステップと、
前記起動信号が検出された場合、少なくとも、前記起動信号を相手から受信するか、または前記起動信号を他の相手に送信するのに必要な期間、前記起動信号を相手から受信するか、または前記起動信号を他の相手に送信する通信手段に電源を供給する電源供給ステップと
を含むことを特徴とする電源供給制御方法。
【発明の詳細な説明】
【技術分野】
【０００１】
本発明は電気機器および電源供給制御方法に関し、特に、消費される電力をより少なくした電気機器および電源供給制御方法に関する。
【背景技術】
【０００２】
近年、プラズマディスプレイまたは液晶ディスプレイなどの、いわゆるフラットテレビジョン受像機において、画像を表示するディスプレイと、チューナなどを設けディスプレイの表示を制御する表示制御ボックスとから１つのセットを構成する、いわゆるセパレートタイプのテレビジョン受像機が製造販売されるようになってきた。
【０００３】
このような、セパレートタイプのテレビジョン受像機は、最小限の機能をディスプレイに持たせればよいので、ディスプレイの薄さの利点を生かしやすい。また、DVD（Digital Versatile Disc）プレーヤやHDD（Hard Disk Drive）レコーダプレーヤなどとの接続を表示制御ボックス側で行うので、ディスプレイと表示制御ボックスとの間の配線の数をより少なくすることができ、壁に掛けて使用する場合に、設置が容易になり、見栄えも良い。
【０００４】
セパレートタイプのテレビジョン受像機において、表示制御ボックスの設置場所の制約をより少なくするため、使用者の操作に応じてチャンネルや音量の変更を指示するリモートコントローラからの制御信号（コマンド）としての赤外線を受光する受光部は、一般的に、ディスプレイに設けられる。
【０００５】
一方、リモートコントローラからの制御信号を解釈して、入力信号の選択や各種の設定を変更するマイクロコントローラは、表示制御ボックス側に配置することが望ましい。
【０００６】
図１は、従来のセパレートタイプのテレビジョン受像機の構成を示すブロック図である。このテレビジョン受像機は、ディスプレイ１および表示制御ボックス２からなる。受光部３は、ディスプレイ１に設けられ、SIRCS（Serial Infrared Remote Control System）信号である、図示せぬリモートコントローラからの制御信号（コマンド）としての赤外線を受光する。受光部３は、受光した赤外線の信号であるSIRCS信号に対応する、電気信号としてのSIRCS信号を表示制御ボックス２のLVDS（Low Voltage Differential Signaling）送信部４に供給する。
【０００７】
LVDS送信部４は、LVDS信号としたSIRCS信号を表示制御ボックス２に送信する。
【０００８】
表示制御ボックス２のLVDS受信部５は、ディスプレイ１から送信されてきた、LVDS信号とされたSIRCS信号を受信する。LVDS受信部５は、受信した、LVDS信号とされたSIRCS信号をマイクロコントローラ６に供給する。
【０００９】
LVDS受信部５から供給された、LVDS信号とされたSIRCS信号が起動を指示するものである場合、マイクロコントローラ６は、表示制御ボックス２の電源を制御して、表示制御ボックス２を起動させて、表示制御ボックス２の状態を通常の動作状態（オン状態）とする。また、マイクロコントローラ６は、ディスプレイ１を起動させるＯＮ信号をディスプレイ１のマイクロコンピュータ７に供給する。ＯＮ信号を受信したマイクロコンピュータ７は、ディスプレイ１の電源を制御して、ディスプレイ１を起動させて、ディスプレイ１の状態を通常の動作状態（オン状態）とする。マイクロコントローラ６とマイクロコンピュータ７とは、必要な情報を送受信する。
【００１０】
表示制御ボックス２の状態が通常の動作状態である場合、マイクロコントローラ６は、信号処理IC（Integrated Circuit）８に、スケーラおよびOSD（On Screen Display）など各種の画像処理を、入力端子９およびセレクタ１０を介して供給された画像信号に適用させる。また、マイクロコントローラ６は、入力端子９から供給された画像信号を選択するセレクタ１０を切り替える。
【００１１】
信号処理IC８は、映像信号をTMDS（Transmission Minimized Differential Signaling）送信部１１に供給する。TMDS送信部１１は、TMDSの規格に準拠した映像信号をディスプレイ１に送信する。
【００１２】
通常の動作状態であるディスプレイ１のTMDS受信部１２は、表示制御ボックス２から送信されてきた、TMDSの規格に準拠した映像信号を受信する。
【００１３】
また、信号処理IC８は、音声信号をLVDS送信部１３に供給する。LVDS送信部１３は、LVDS信号とした音声信号をディスプレイ１に送信する。
【００１４】
通常の動作状態であるディスプレイ１のLVDS受信部１４は、LVDS信号とされた音声信号を受信する。
【００１５】
信号処理IC１５は、マイクロコンピュータ７の制御の基に、TMDS受信部１２において受信された映像信号およびLVDS受信部１４において受信された音声信号に所定の信号処理を適用して、信号処理を適用した映像信号および音声信号を基に、ディスプレイ１に映像を表示させ、音声を出力させる。
【００１６】
次に、使用者がリモートコントローラを操作して、セパレートタイプのテレビジョン受像機に電源をオフさせている状態である、待機モードから、さらに、使用者がリモートコントローラを操作して、セパレートタイプのテレビジョン受像機に電源をオンさせる、復帰の動作について説明する。
【００１７】
この場合、省エネルギーの観点から、待機モードにおける消費電力をより少なくする必要がある。その一方で、待機モードにおいて、使用者がリモートコントローラを操作した場合には、即座に、電源をオンさせなければならない。
【００１８】
図２は、従来のセパレートタイプのテレビジョン受像機における、待機モードから通常の動作状態への復帰を説明する図である。受光部３は、待機モードから通常の動作状態への復帰を指示するSIRCS信号である制御信号（コマンド）としての赤外線を受光する。受光部３は、待機モードから通常の動作状態への復帰を指示する、電気信号としてのSIRCS信号を表示制御ボックス２のLVDS送信部４に供給する。LVDS送信部４は、LVDS信号としたSIRCS信号を表示制御ボックス２のLVDS受信部５に送信する。
【００１９】
LVDS受信部５は、ディスプレイ１から送信されてきた、LVDS信号とされたSIRCS信号を受信する。LVDS受信部５は、受信した、LVDS信号とされたSIRCS信号をマイクロコントローラ６に供給する。
【００２０】
マイクロコントローラ６は、表示制御ボックス２の電源を制御して、表示制御ボックス２を起動させて、表示制御ボックス２の状態を通常の動作状態（オン状態）とする。また、マイクロコントローラ６は、ディスプレイ１を起動させるＯＮ信号をディスプレイ１のマイクロコンピュータ７に供給する。ＯＮ信号を受信したマイクロコンピュータ７は、ディスプレイ１の電源を制御して、ディスプレイ１を起動させて、ディスプレイ１の状態を通常の動作状態（オン状態）とする。
【００２１】
このように、テレビジョン受像機は、待機モードから通常の動作状態に復帰する。
【００２２】
しかしながら、待機モードにおいて、受光部３、LVDS送信部４、LVDS受信部５、マイクロコントローラ６、およびマイクロコンピュータ７は常に動作状態になければならない。すなわち、待機モードにおいて、受光部３、LVDS送信部４、LVDS受信部５、マイクロコントローラ６、およびマイクロコンピュータ７に電源を供給しておく必要がある。テレビジョン受像機自身の消費電力を小さくするためには、受光部３、LVDS送信部４、LVDS受信部５、マイクロコントローラ６、およびマイクロコンピュータ７それ自身の消費電力を小さくしなければならない。
【００２３】
従来、テレビジョン受信機にDVDプレーヤやセットトップボックスを選択的に接続するスイッチと、パワーオンラインがアクティブ状態のDVDプレーヤやセットトップボックスを、テレビジョン受信機に接続するようにスイッチを制御するとともに、テレビジョン受信機に対してその主電源を投入するように制御を行うマイクロコンピュータを設けるようにしているものもある（例えば、特許文献１参照）。
【００２４】
【特許文献１】特開２００３−８７６７１号公報
【発明の開示】
【発明が解決しようとする課題】
【００２５】
しかしながら、待機モードにおけるテレビジョン受像機自身の消費電力をより少なくする旨の強い要求があるが、それぞれの部位の消費電力を少なくすることには限界があり、従来は、この要求に答えることができなかった。
【００２６】
本発明は、このような状況に鑑みてなされたものであり、消費電力をより少なくすることができるようにするものである。
【課題を解決するための手段】
【００２７】
本発明の第１の側面は、相手から送信されてくる、起動を指示する起動信号を検出する検出手段と、起動信号が検出された場合、少なくとも、起動信号を相手から受信するか、または起動信号を他の相手に送信するのに必要な期間、起動信号を相手から受信するか、または起動信号を他の相手に送信する通信手段に電源を供給する電源供給手段とを備えることを特徴とする電気機器である。
【００２８】
本発明の第１の側面によれば、相手から送信されてくる、起動を指示する起動信号が検出され、起動信号が検出された場合、少なくとも、起動信号を相手から受信するか、または起動信号を他の相手に送信するのに必要な期間、起動信号を相手から受信するか、または起動信号を他の相手に送信する通信手段に電源が供給される。
【００２９】
検出手段は、起動信号のエッジを検出し、電源供給手段は、起動信号のエッジが検出された場合、通信手段に電源を供給するようにすることができる。
【００３０】
電源供給手段は、通信手段への電源を供給する経路を接続することにより、通信手段に電源を供給するようにすることができる。
【００３１】
検出手段は、リモートコントローラである相手から送信されてくる、SIRCS（Serial Infrared Remote Control System）信号である起動信号を検出するようにすることができる。
【００３２】
電源供給手段は、SIRCS信号である起動信号が検出された場合、LVDS（Low Voltage Differential Signaling）信号とした起動信号を他の相手に送信するのに必要な期間、そのLVDS信号である起動信号を他の相手に送信する通信手段に電源を供給するようにすることができる。
【００３３】
検出手段は、相手から送信されてくる、LVDS信号である起動信号を検出し、電源供給手段は、LVDS信号である起動信号が検出された場合、LVDS信号である起動信号を相手から受信するのに必要な期間、そのLVDS信号である起動信号を相手から受信する通信手段に電源を供給するようにすることができる。
【００３４】
起動信号から所定の高周波成分を除去する除去手段をさらに設け、検出手段は、高周波成分が除去された起動信号を検出するようにすることができる。
【００３５】
起動信号を遅延させ、遅延させた起動信号を通信手段に供給する遅延手段をさらに設けることができる。
【発明の効果】
【００３６】
以上のように、本発明によれば、消費電力をより少なくすることができる。
【発明を実施するための最良の形態】
【００３７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００３８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３９】
請求項１に記載の電気機器は、相手から送信されてくる、起動を指示する起動信号を検出する検出手段（例えば、図４の単安定マルチバイブレータ５３）と、起動信号が検出された場合、少なくとも、起動信号を相手から受信するか、または起動信号を他の相手に送信するのに必要な期間、起動信号を相手から受信するか、または起動信号を他の相手に送信する通信手段（例えば、図４のLVDS送信部５２）に電源を供給する電源供給手段（例えば、図４の電源５４およびリレー５５）とを備えることを特徴とする。
【００４０】
図３は、本発明に係る一実施の形態のテレビジョン受像機の外観を示す図である。本発明に係るテレビジョン受像機は、画像を表示するディスプレイ３１、およびディスプレイ３１の表示を制御する表示制御ボックス３２からなり、いわゆるセパレートタイプのテレビジョン受像機である。
【００４１】
また、ディスプレイ３１は、使用者の操作に応じてリモートコントローラ３３からの赤外線の制御信号（コマンド）であるSIRCS信号を受光する。表示制御ボックス３２は、受光されたSIRCS信号に応じて、テレビジョン受像機全体を制御する。
【００４２】
このテレビジョン受像機は、複数の装置からなるテレビジョン受像システムであるとも言える。
【００４３】
図４は、本発明に係るテレビジョン受像機の構成を説明するブロック図である。ディスプレイ３１は、受光部５１、LVDS送信部５２、単安定マルチバイブレータ５３、電源５４、リレー５５、およびマイクロコントローラ５６を備える。表示制御ボックス３２は、LVDS受信部６１およびマイクロコントローラ６２を備える。
【００４４】
受光部５１は、フォトダイオードなどからなり、SIRCS信号である、リモートコントローラ３３から送信されてくる、制御信号（コマンド）としての赤外線を受光する。SIRCS信号は、起動信号の一例である。受光部５１は、受光した赤外線の信号であるSIRCS信号に対応する、電気信号としてのSIRCS信号をLVDS送信部５２および単安定マルチバイブレータ５３に供給する。
【００４５】
単安定マルチバイブレータ５３は、一般に、いわゆるモノマルチと称され、入力された信号のエッジを検出して、入力された信号のエッジを検出したとき、エッジを検出してから所定の期間、エッジの検出に対応する値の信号を出力する。
【００４６】
すなわち、単安定マルチバイブレータ５３は、受光部５１から供給される、電気信号としてのSIRCS信号のエッジを検出する。単安定マルチバイブレータ５３は、電気信号としてのSIRCS信号のエッジを検出していない場合、所定の値の信号をリレー５５に供給し、SIRCS信号のエッジを検出した場合、SIRCS信号のエッジを検出してから一定の期間、他の値の信号をリレー５５に供給する。例えば、単安定マルチバイブレータ５３は、SIRCS信号のエッジを検出していない場合、”０”である信号をリレー５５に供給し、SIRCS信号のエッジを検出した場合、SIRCS信号のエッジを検出してから一定の期間、”１”である信号をリレー５５に供給する。
【００４７】
換言すれば、単安定マルチバイブレータ５３は、リモートコントローラ３３から送信されてくる、起動を指示する起動信号を検出する。
【００４８】
リレー５５は、外部からの信号に応じて、接点を開放するか、または接点を閉じる。すなわち、リレー５５は、単安定マルチバイブレータ５３からSIRCS信号のエッジを検出していない場合の所定の値の信号が供給されているとき、電源５４からの電力をLVDS送信部５２に供給する経路にある接点を開放し、単安定マルチバイブレータ５３からSIRCS信号のエッジを検出した場合の他の値の信号が供給されているとき、電源５４からの電力をLVDS送信部５２に供給する経路にある接点を閉じる。すなわち、単安定マルチバイブレータ５３からSIRCS信号のエッジを検出していない場合の所定の値の信号が供給されているとき、電源５４からLVDS送信部５２に電力が供給されず、単安定マルチバイブレータ５３からSIRCS信号のエッジを検出した場合の他の値の信号が供給されているとき、電源５４からLVDS送信部５２に電力が供給される。
【００４９】
例えば、リレー５５は、単安定マルチバイブレータ５３から”０”である信号が供給されている場合、電源５４からの電力をLVDS送信部５２に供給する経路にある接点を開放して、電源５４からの電力がLVDS送信部５２に供給されないようにする。また、例えば、リレー５５は、単安定マルチバイブレータ５３から”１”である信号が供給されている場合、電源５４からの電力をLVDS送信部５２に供給する経路にある接点を閉じて、電源５４からの電力がLVDS送信部５２に供給されるようにする。
【００５０】
なお、電力を供給することを、電源を供給するとも称する。
【００５１】
このように、SIRCS信号のエッジが検出された場合、単安定マルチバイブレータ５３から信号によって、リレー５５の接点を所定の期間閉じさせることによって、必要な時にだけ、電源５４からの電力がLVDS送信部５２に供給され、必要な時にだけ、LVDS送信部５２が動作する。
【００５２】
単安定マルチバイブレータ５３の消費電力は、LVDS送信部５２の消費電力の１／５から１／１０なので、待機モードにおける消費電力がより少なくなる。
【００５３】
電源５４は、使用者がリモートコントローラ３３を操作して、テレビジョン受像機に電源をオフさせている状態である、待機モードにおいて、ディスプレイ３１の各部に電力を供給する。電源５４は、例えば、３．３Ｖの電圧の電力をディスプレイ３１の各部に供給する。
【００５４】
リレー５５を介して電源５４から電力が供給された（電源が供給された）LVDS送信部５２は、LVDS信号としたSIRCS信号を表示制御ボックス３２に送信する。
【００５５】
言い換えれば、電源５４およびリレー５５は、起動信号が検出された場合、少なくとも、起動信号を相手から受信するか、または起動信号を他の相手に送信するのに必要な期間、起動信号を相手から受信するか、または起動信号を他の相手に送信する通信手段の一例であるLVDS送信部５２に電源を供給する。
【００５６】
マイクロコントローラ５６は、ROM（Read Only Memory）およびRAM（Random Access Memory）を内蔵する専用または汎用の組込型のマイクロプロセッサなどであり、ディスプレイ３１全体を制御する。
【００５７】
表示制御ボックス３２のLVDS受信部６１は、ディスプレイ３１から送信されてきた、LVDS信号とされたSIRCS信号を受信する。LVDS受信部６１は、受信した、LVDS信号とされたSIRCS信号をマイクロコントローラ６２に供給する。
【００５８】
SIRCS信号をLVDS信号とするのは、ディスプレイ３１と表示制御ボックス３２とを結ぶケーブルの長さが一般に数メートルから十数メートルあるので、信号の減衰やノイズの影響をより少なくするためである。
【００５９】
マイクロコントローラ６２は、ROMおよびRAMを内蔵する専用または汎用の組込型のマイクロプロセッサなどであり、表示制御ボックス３２全体を制御する。
【００６０】
LVDS受信部６１から供給された、LVDS信号とされたSIRCS信号が、待機モードから通常の動作モードへの復帰を指示するもの、すなわち、起動を指示する起動信号である場合、マイクロコントローラ６２は、表示制御ボックス３２の電源を制御して、表示制御ボックス３２を起動させて、表示制御ボックス３２の状態を通常の動作状態（オン状態）とする。また、マイクロコントローラ６２は、ディスプレイ３１を起動させるＯＮ信号をディスプレイ３１のマイクロコンピュータ５６に供給する。ＯＮ信号を受信したマイクロコンピュータ５６は、ディスプレイ３１の電源を制御して、ディスプレイ３１を起動させて、ディスプレイ３１の状態を通常の動作状態（オン状態）とする。
【００６１】
ディスプレイ３１の状態が通常の動作状態（オン状態）である場合、マイクロコンピュータ５６は、リレー５５に、電源５４からの電力をLVDS送信部５２に供給する経路にある接点を閉じさせて、電源５４からの電力がLVDS送信部５２に継続して供給されるようにする。
【００６２】
このようにすることで、ディスプレイ３１が通常の動作状態（オン状態）にある場合、リモートコントローラ３３が使用者に頻繁に操作されるので、使用者の操作に応じてリモートコントローラ３３から送信されてくるSIRCS信号を、確実に表示制御ボックス３２に送信することができる。
【００６３】
図５は、受光部５１から出力される電気信号であるSIRCS信号、LVDS送信部５２に供給される電源の電圧、およびLVDS送信部５２から送信されるLVDS信号を示すタイムチャートである。図５で示されるように、受光部５１から出力される電気信号であるSIRCS信号は、アクティブローの信号であり、所定の強さの赤外線が受信されていない場合には、例えば、５Ｖとなる。受光部５１が所定の強さの赤外線を受信すると、受光部５１は、例えば、０ＶのSIRCS信号を出力する。
【００６４】
赤外線であるSIRCS信号は、所定の閾値より強い赤外線とその閾値より弱い赤外線が時間的に交互に放射されてなる。すなわち、例えば、赤外線であるSIRCS信号において、所定の閾値より強い所定の強さの赤外線が放射される所定の長さの期間と、赤外線が放射されない所定の長さの期間とが交互に配置される。
【００６５】
赤外線が放射されていない状態から所定の強さの赤外線が放射されると、これを検知した受光部５１は、出力している電気信号であるSIRCS信号を５Ｖから０Ｖに変化させる。単安定マルチバイブレータ５３は、受光部５１から出力される電気信号であるSIRCS信号のこの立ち下がりのエッジを検出する。単安定マルチバイブレータ５３は、SIRCS信号の立ち下がりのエッジを検出すると、SIRCS信号のエッジを検出してから一定の期間、接点を閉じさせる信号をリレー５５に供給する。
【００６６】
単安定マルチバイブレータ５３が、SIRCS信号の立ち下がりのエッジを検出した場合、接点を閉じさせる信号が出力される期間は、少なくとも、LVDS送信部５２がSIRCS信号を表示制御ボックス３２に送信するのに必要な長さとされる。
【００６７】
すなわち、単安定マルチバイブレータ５３は、SIRCS信号の立ち下がりのエッジを検出すると、少なくとも、LVDS送信部５２がSIRCS信号を表示制御ボックス３２に送信するのに必要な期間継続して接点を閉じさせる信号をリレー５５に供給する。
【００６８】
その結果、SIRCS信号のエッジを検出してから一定の期間、電源５４からの電力がLVDS送信部５２に供給される。すなわち、図５で示されるように、SIRCS信号のエッジを検出してから一定の期間、LVDS送信部５２に電源電圧が印加されることになる。
【００６９】
電源５４からの電力が供給されたLVDS送信部５２は、図５で示されるように、SIRCS信号であるLVDS信号を表示制御ボックス３２に送信する。少なくとも、LVDS送信部５２がSIRCS信号を表示制御ボックス３２に送信するのに必要な期間、電源５４からの電力がLVDS送信部５２に供給されるので、LVDS送信部５２は、SIRCS信号の全体を送信することができる。
【００７０】
図５で示されるように、受光部５１から出力される電気信号であるSIRCS信号と、LVDS送信部５２から送信される、SIRCS信号であるLVDS信号とは、相似した信号となる。
【００７１】
次に、図６および図７のフローチャートを参照して、ディスプレイ３１および表示制御ボックス３２の動作を説明する。
【００７２】
図６は、待機モードから復帰する場合のディスプレイ３１の動作を説明するフローチャートである。ステップＳ１１において、単安定マルチバイブレータ５３は、受光部５１からの、待機モードから復帰を指令する、電気信号であるSIRCS信号のエッジを検出する。待機モードから復帰を指令するSIRCS信号は、起動信号の一例である。SIRCS信号のエッジを検出すると、単安定マルチバイブレータ５３は、所定の長さの期間、接点を閉じさせる信号をリレー５５に供給する。単安定マルチバイブレータ５３からの信号によって、リレー５５は、所定の長さの期間、接点を閉じる。
【００７３】
ステップＳ１２において、電源５４は、接点が閉じられたリレー５５を介して、所定の期間、LVDS送信部５２に電源（電力）を供給する。ステップＳ１３において、LVDS送信部５２は、LVDS信号としたSIRCS信号を、表示制御ボックス３２に送信する。
【００７４】
待機モードからの復帰を指示するSIRCS信号を表示制御ボックス３２に送信すると、表示制御ボックス３２が起動し、表示制御ボックス３２のマイクロコントローラ６２がON信号を送信してくるので、ステップＳ１４において、マイクロコントローラ５６は、ディスプレイ３１を起動させる。
【００７５】
ステップＳ１５において、マイクロコントローラ５６は、リレー５５に、電源５４からの電力をLVDS送信部５２に供給する経路にある接点を継続して閉じさせて、電源５４からの電力がLVDS送信部５２に継続して供給されるようにする。すなわち、継続して、LVDS送信部５２に電源が供給されて、処理は終了する。
【００７６】
図７は、待機モードから復帰する場合の表示制御ボックス３２の動作を説明するフローチャートである。ステップＳ３１において、表示制御ボックス３２のLVDS受信部６１は、ディスプレイ３１から送信されてきた、待機モードから復帰を指示する、LVDS信号とされたSIRCS信号を受信する。LVDS受信部６１は、受信したSIRCS信号をマイクロコントローラ６２に供給する。ステップＳ３２において、マイクロコントローラ６２は、LVDS受信部６１から供給されたSIRCS信号が待機モードから復帰を指示する起動信号なので、表示制御ボックス３２を起動する。
【００７７】
ステップＳ３３において、マイクロコントローラ６２は、ＯＮ信号をディスプレイ３１のマイクロコンピュータ５６に供給することで、ディスプレイ３１のマイクロコンピュータ５６に起動を指示して、処理は終了する。
【００７８】
このように、LVDS信号としたSIRCS信号を、表示制御ボックス３２に送信する時だけ、電源５４からの電力がLVDS送信部５２に供給され、SIRCS信号を表示制御ボックス３２に送信する時だけ、LVDS送信部５２が動作する。
【００７９】
従って、消費電力をより少なくすることができる。
【００８０】
従来の待機モードのディスプレイ１において消費される電力のうち、約４０％程度がLVDS送信部４において消費される。
【００８１】
本発明によれば、SIRCS信号を送信しない場合には、LVDS送信部５２に電源が供給されないので、待機モードにおいて消費される電力を、従来に比較して、おおよそ６０％とすることができる。
【００８２】
図８は、本発明に係るテレビジョン受像機の他の構成を説明するブロック図である。図４に示す場合と同様の部分には同一の符号を付してあり、その説明は省略する。
【００８３】
ローパスフィルタ（LPF）８１は、コンデンサ、抵抗、またはコイルなどからなる、パッシブフィルタであり、受光部５１から供給された、電気信号としてのSIRCS信号から高周波成分を除去する。ローパスフィルタ８１は、高周波成分を除去した、電気信号としてのSIRCS信号を単安定マルチバイブレータ５３に供給する。
【００８４】
受光部５１は、リモートコントローラ３３から本来のSIRCS信号としての赤外線が照射されていないのにも関わらず、ノイズである、他の機器から発せられる赤外線、外光に含まれる赤外線、または照明光に含まれる赤外線などを検出して、周波数の高い瞬間的なパルスを含む信号を出力する場合がある。
【００８５】
ローパスフィルタ８１を単安定マルチバイブレータ５３の前段に設けることにより、受光部５１から出力される信号から、このようなノイズに応じた成分を除去することができる。
【００８６】
これによって、他の機器から発せられる赤外線、外光に含まれる赤外線、または照明光に含まれる赤外線などのノイズで、LVDS送信部５２に不要な電源が供給されてしまうことを防止することができる。
【００８７】
図９は、待機モードから復帰する場合のディスプレイ３１の他の動作を説明するフローチャートである。ステップＳ５１において、ローパスフィルタ８１は、SIRCS信号から高周波成分を除去して、高周波成分を除去したSIRCS信号を単安定マルチバイブレータ５３に供給する。
【００８８】
ステップＳ５２乃至ステップＳ５６の処理は、それぞれ、図６のステップＳ１１乃至ステップＳ１５の処理と同様なので、その説明は省略する。
【００８９】
図８で構成が示されるテレビジョン受像機における、待機モードから復帰する場合の表示制御ボックス３２の動作は、図７のフローチャートを参照して説明した処理と同様なので、その説明は省略する。
【００９０】
図１０は、本発明に係るテレビジョン受像機のさらに他の構成を説明するブロック図である。図８に示す場合と同様の部分には同一の符号を付してあり、その説明は省略する。
【００９１】
遅延回路９１は、コンデンサまたは抵抗などからなる積分回路並びにシュミットトリガゲートを組み合わせて構成され、受光部５１から供給された、電気信号としてのSIRCS信号を所定の時間だけ遅延させる。例えば、遅延回路９１は、SIRCS信号がLPF８１に供給されてからLVDS送信部５２に電源が供給されて、LVDS送信部５２の動作が安定するのに必要な時間だけ、SIRCS信号を遅延させる。遅延回路９１は、所定の時間だけ遅延させた、電気信号としてのSIRCS信号をLVDS送信部５２に供給する。
【００９２】
ローパスフィルタ８１を単安定マルチバイブレータ５３の前段に設けると、本来のSIRCS信号からも高周波成分が除去されて、SIRCS信号の立ち下がり（立ち上がり）がなまり、リレー５５の接点が閉じられるタイミングにも遅れが生じてしまう。その結果、LVDS送信部５２に電源が供給されるタイミングが遅れることになり、LVDS送信部５２が送信するSIRCS信号から、本来のSIRCS信号の最前部が欠けてしまう可能性が生じる。すなわち、LVDS送信部５２が、送信すべきSIRCS信号の全体を送信できない事態が生じるおそれがある。
【００９３】
そこで、LVDS送信部５２の前段に遅延回路９１を設けることにより、LVDS送信部５２に電源が供給されてからLVDS送信部５２に送信すべきSIRCS信号が入力されるようにして、LVDS送信部５２が、送信すべきSIRCS信号の全体を確実に送信できるようにする。
【００９４】
図１１は、待機モードから復帰する場合のディスプレイ３１のさらに他の動作を説明するフローチャートである。ステップＳ７１乃至ステップＳ７３の処理は、それぞれ、図９のステップＳ５１乃至ステップＳ５３の処理と同様なので、その説明は省略する。
【００９５】
ステップＳ７４において、遅延回路９１は、受光部５１から供給された、電気信号としてのSIRCS信号を所定の時間だけ遅延させる。遅延回路９１は、所定の時間だけ遅延させた、電気信号としてのSIRCS信号をLVDS送信部５２に供給する。
【００９６】
ステップＳ７５乃至ステップＳ７７の処理は、それぞれ、図９のステップＳ５４乃至ステップＳ５６の処理と同様なので、その説明は省略する。
【００９７】
図１０で構成が示されるテレビジョン受像機における、待機モードから復帰する場合の表示制御ボックス３２の動作は、図７のフローチャートを参照して説明した処理と同様なので、その説明は省略する。
【００９８】
さらに、表示制御ボックス３２において消費される電力を削減することができる。
【００９９】
図１２は、本発明に係るテレビジョン受像機のさらに他の構成を説明するブロック図である。図１０に示す場合と同様の部分には同一の符号を付してあり、その説明は適宜省略する。
【０１００】
図１２で示されるテレビジョン受像機の表示制御ボックス３２は、LVDS受信部６１、マイクロコントローラ６２、単安定マルチバイブレータ１２１、電源１２２、およびリレー１２３を備える。
【０１０１】
単安定マルチバイブレータ１２１は、一般に、いわゆるモノマルチと称され、入力された信号のエッジを検出して、入力された信号のエッジを検出したとき、エッジを検出してから所定の期間、エッジの検出に対応する値の信号を出力する。
【０１０２】
単安定マルチバイブレータ１２１は、ディスプレイ３１から供給されてくるLVDS信号のエッジを検出する。単安定マルチバイブレータ１２１は、LVDS信号のエッジを検出していない場合、所定の値の信号をリレー１２３に供給し、LVDS信号のエッジを検出した場合、LVDS信号のエッジを検出してから一定の期間、他の値の信号をリレー１２３に供給する。例えば、単安定マルチバイブレータ１２１は、LVDS信号のエッジを検出していない場合、”０”である信号をリレー１２３に供給し、LVDS信号のエッジを検出した場合、LVDS信号のエッジを検出してから一定の期間、”１”である信号をリレー１２３に供給する。
【０１０３】
ここで、待機モードから復帰を指示するSIRCS信号であるLVDS信号は、起動信号の一例である。換言すれば、単安定マルチバイブレータ１２１は、ディスプレイ３１から送信されてくる、起動を指示する起動信号を検出する。
【０１０４】
リレー１２３は、単安定マルチバイブレータ１２１からLVDS信号のエッジを検出していない場合の所定の値の信号が供給されているとき、電源１２２からの電力をLVDS受信部６１に供給する経路にある接点を開放し、単安定マルチバイブレータ１２１からLVDS信号のエッジを検出した場合の他の値の信号が供給されている場合、電源１２２からの電力をLVDS受信部６１に供給する経路にある接点を閉じる。すなわち、単安定マルチバイブレータ１２１からLVDS信号のエッジを検出していない場合の所定の値の信号が供給されているとき、電源１２２からLVDS受信部６１に電力が供給されず、単安定マルチバイブレータ１２１からLVDS信号のエッジを検出した場合の他の値の信号が供給されているとき、電源１２２からLVDS受信部６１に電力が供給される。
【０１０５】
例えば、リレー１２３は、単安定マルチバイブレータ１２１から”０”である信号が供給されている場合、電源１２２からの電力をLVDS受信部６１に供給する経路にある接点を開放して、電源１２２からの電力がLVDS受信部６１に供給されないようにする。また、例えば、リレー１２３は、単安定マルチバイブレータ１２１から”１”である信号が供給されている場合、電源１２２からの電力をLVDS送信部６１に供給する経路にある接点を閉じて、電源１２２からの電力がLVDS送信部６１に供給されるようにする。
【０１０６】
このように、LVDS信号のエッジが検出された場合、単安定マルチバイブレータ１２１から信号によって、リレー１２３の接点を所定の期間閉じさせることによって、必要な時にだけ、電源１２２からの電力がLVDS受信部６１に供給され、必要な時にだけ、LVDS受信部６１が動作する。
【０１０７】
このようにすることで、表示制御ボックス３２において消費される電力を削減することができる。
【０１０８】
なお、単安定マルチバイブレータ１２１は、差動信号であるLVDS信号の同時に送信される信号のうちの、いずれか一方のエッジを検出する。
【０１０９】
図１３は、待機モードから復帰する場合の表示制御ボックス３２の他の動作を説明するフローチャートである。ステップＳ９１において、単安定マルチバイブレータ１２１は、ディスプレイ３１から送信されてくる、SIRCS信号であるLVDS信号のエッジを検出する。SIRCS信号のエッジを検出すると、単安定マルチバイブレータ１２１は、所定の長さの期間、接点を閉じさせる信号をリレー１２３に供給する。
【０１１０】
ステップＳ９２において、電源１２２は、接点が閉じられたリレー１２３を介して、所定の期間、LVDS受信部６１に電源（電力）を供給する。
【０１１１】
ステップＳ９３乃至ステップＳ９５の処理は、それぞれ、図７のステップＳ３１乃至ステップＳ３３の処理と同様なので、その説明は省略する。
【０１１２】
ステップＳ９５において、マイクロコントローラ６２は、リレー１２３に、電源１２２からの電力をLVDS受信部６１に供給する経路にある接点を継続して閉じさせて、電源１２２からの電力がLVDS受信部６１に継続して供給されるようにする。すなわち、継続して、LVDS受信部６１に電源が供給されて、処理は終了する。
【０１１３】
図１２で構成が示されるテレビジョン受像機における、待機モードから復帰する場合のディスプレイ３１の動作は、図１１のフローチャートを参照して説明した処理と同様なので、その説明は省略する。
【０１１４】
さらに、LVDS信号から高周波成分を除去して、高周波成分を除去したLVDS信号からエッジを検出するようにしてもよい。
【０１１５】
図１４は、本発明に係るテレビジョン受像機のさらに他の構成を説明するブロック図である。図１２に示す場合と同様の部分には同一の符号を付してあり、その説明は適宜省略する。
【０１１６】
ローパスフィルタ（LPF）１４１は、コンデンサ、抵抗、またはコイルなどからなる、パッシブフィルタであり、ディスプレイ３１から送信されてきたLVDS信号から高周波成分を除去する。ローパスフィルタ１４１は、高周波成分を除去したLVDS信号を単安定マルチバイブレータ１２１に供給する。
【０１１７】
ローパスフィルタ１４１を単安定マルチバイブレータ１２１の前段に設けることにより、ディスプレイ３１から送信されてきたLVDS信号から、ノイズに応じた成分を除去することができる。
【０１１８】
これによって、LVDS信号に含まれるノイズで、LVDS受信部６１に不要な電源が供給されてしまうことを防止することができる。
【０１１９】
図１５は、待機モードから復帰する場合の表示制御ボックス３２のさらに他の動作を説明するフローチャートである。ステップＳ１２１において、ローパスフィルタ１４１は、ディスプレイ３１から送信されてきたLVDS信号から高周波成分を除去して、高周波成分を除去したLVDS信号を単安定マルチバイブレータ１２１に供給する。
【０１２０】
ステップＳ１２２乃至ステップＳ１２７の処理は、それぞれ、図１３のステップＳ９１乃至ステップＳ９６の処理と同様なので、その説明は省略する。
【０１２１】
このように、表示制御ボックス３２に、LVDS信号から高周波成分を除去するローパスフィルタ１４１を設けることで、LVDS受信部６１に不要な電源が供給されてしまうことを防止し、消費される電力をより少なくすることができる。
【０１２２】
図１４で構成が示されるテレビジョン受像機における、待機モードから復帰する場合のディスプレイ３１の動作は、図１１のフローチャートを参照して説明した処理と同様なので、その説明は省略する。
【０１２３】
さらにまた、ディスプレイ３１から送信されてきたLVDS信号を遅延させるようにしてもよい。
【０１２４】
図１６は、本発明に係るテレビジョン受像機のさらに他の構成を説明するブロック図である。図１４に示す場合と同様の部分には同一の符号を付してあり、その説明は適宜省略する。
【０１２５】
遅延回路１６１は、コンデンサまたは抵抗などからなる積分回路並びにシュミットトリガゲートを組み合わせて構成され、ディスプレイ３１から送信されてきたLVDS信号を所定の時間だけ遅延させる。例えば、遅延回路１６１は、LVDS信号がLPF１４１に供給されてからLVDS受信部６１に電源が供給されて、LVDS受信部６１の動作が安定するのに必要な時間だけ、LVDS信号を遅延させる。より詳細には、遅延回路１６１は、LVDS信号の同時に送信されてくる信号の双方を同じ時間だけ遅延させる。遅延回路１６１は、所定の時間だけ遅延させた、ディスプレイ３１から送信されてきたLVDS信号をLVDS受信部６１に供給する。
【０１２６】
ローパスフィルタ１４１を単安定マルチバイブレータ１２１の前段に設けると、本来のLVDS信号からも高周波成分が除去されて、LVDS信号の立ち下がり（立ち上がり）がなまり、リレー１２３の接点が閉じられるタイミングにも遅れが生じてしまう。その結果、LVDS受信部６１に電源が供給されるタイミングが遅れることになり、LVDS受信部６１が、ディスプレイ３１から送信されてきたLVDS信号の最前部を受信できない可能性が生じる。すなわち、LVDS受信部６１が、受信すべきSIRCS信号であるLVDS信号の全体を受信できない事態が生じるおそれがある。
【０１２７】
そこで、LVDS受信部６１の前段に遅延回路１６１を設けることにより、LVDS受信部６１に電源が供給されてからLVDS受信部６１にLVDS信号が入力されるようにして、LVDS受信部６１が、受信すべきSIRCS信号であるLVDS信号の全体を確実に受信できるようにする。
【０１２８】
図１７は、待機モードから復帰する場合の表示制御ボックス３２のさらに他の動作を説明するフローチャートである。ステップＳ１４１乃至ステップＳ１４３の処理は、それぞれ、図１５のステップＳ１２１乃至ステップＳ１２３の処理と同様なので、その説明は省略する。
【０１２９】
ステップＳ１４４において、遅延回路１６１は、ディスプレイ３１から送信されてきたLVDS信号の同時に送信されてくる信号の双方を同じ時間だけ遅延させる。遅延回路１６１は、所定の時間だけ遅延させた、ディスプレイ３１から送信されてきたLVDS信号をLVDS受信部６１に供給する。
【０１３０】
ステップＳ１４５乃至ステップＳ１４８の処理は、それぞれ、図１５のステップＳ１２４乃至ステップＳ１２７の処理と同様なので、その説明は省略する。
【０１３１】
このように、表示制御ボックス３２に、ディスプレイ３１から送信されてきたLVDS信号を所定の時間だけ遅延させる遅延回路１６１を設けることで、受信すべきLVDS信号の全体を確実に受信できるようになる。
【０１３２】
図１６で構成が示されるテレビジョン受像機における、待機モードから復帰する場合のディスプレイ３１の動作は、図１１のフローチャートを参照して説明した処理と同様なので、その説明は省略する。
【０１３３】
以上のように、相手から送信されてくる、起動を指示する起動信号を検出し、起動信号が検出された場合、少なくとも、起動信号を相手から受信するか、または起動信号を他の相手に送信するのに必要な期間、起動信号を相手から受信するか、または起動信号を他の相手に送信する通信手段に電源を供給するようにした場合には、消費電力をより少なくすることができる。
【０１３４】
なお、ディスプレイ３１は、リモートコントローラ３３からの赤外線の制御信号（コマンド）であるSIRCS信号を受光して、受光したSIRCS信号に応じて、テレビジョン受像機全体を制御すると説明したが、これに限らず、有線または無線のネットワークなどを介して送信するなどの他の方式の制御信号を受信して、テレビジョン受像機全体を制御するようにしてもよい。さらに、ディスプレイ３１がLVDS信号を送信し、表示制御ボックス３２がLVDS信号を受信すると説明したが、LVDS信号に限らず、起動を指示することができれば足り、他の方式であっても良い。
【０１３５】
また、ディスプレイ３１および表示制御ボックス３２からなるテレビジョン受像機を例に説明したが、本発明は、これに限らず、他の装置を連動して制御する、他の機器から制御信号を受信して、受信した制御信号を基に動作する装置、または他の機器から制御信号を受信して、受信した制御信号をさらに他の機器に送信する装置に適用することができる。例えば、本発明は、一体のテレビジョン受像機、画像を表示するモニタ、画像または音声の信号を処理する信号処理装置、アンプリファイア、セットトップボックス（チューナ）、またはHDD／DVDレコーダプレーヤなどに適用することができる。
【０１３６】
なお、リレー５５およびリレー１２３は、電源の供給と遮断とを切り替えることができれば足り、いわゆる無接点式のリレーでも良く、半導体スイッチとしてもよい。
【０１３７】
また、単安定マルチバイブレータ５３および単安定マルチバイブレータ１２１は、いわゆるエッジトリガ方式であると説明したが、これに限らず、信号の値を検出する、いわゆるレベルセンス方式としてもよい。
【０１３８】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１３９】
なお、本明細書において、システムとは、複数の装置により構成される装置全体を表すものである。
【図面の簡単な説明】
【０１４０】
【図１】従来のテレビジョン受像機の構成を示すブロック図である。
【図２】従来の、待機モードから通常の動作状態への復帰を説明する図である。
【図３】本発明に係る一実施の形態のテレビジョン受像機の外観を示す図である。
【図４】本発明に係るテレビジョン受像機の構成を説明するブロック図である。
【図５】SIRCS信号、LVDS送信部に供給される電源の電圧、およびLVDS信号を示すタイムチャートである。
【図６】待機モードから復帰する場合のディスプレイの動作を説明するフローチャートである。
【図７】待機モードから復帰する場合の表示制御ボックスの動作を説明するフローチャートである。
【図８】本発明に係るテレビジョン受像機の他の構成を説明するブロック図である。
【図９】待機モードから復帰する場合のディスプレイの他の動作を説明するフローチャートである。
【図１０】本発明に係るテレビジョン受像機のさらに他の構成を説明するブロック図である。
【図１１】待機モードから復帰する場合のディスプレイのさらに他の動作を説明するフローチャートである。
【図１２】本発明に係るテレビジョン受像機のさらに他の構成を説明するブロック図である。
【図１３】待機モードから復帰する場合の表示制御ボックスの他の動作を説明するフローチャートである。
【図１４】本発明に係るテレビジョン受像機のさらに他の構成を説明するブロック図である。
【図１５】待機モードから復帰する場合の表示制御ボックスのさらに他の動作を説明するフローチャートである。
【図１６】本発明に係るテレビジョン受像機のさらに他の構成を説明するブロック図である。
【図１７】待機モードから復帰する場合の表示制御ボックスのさらに他の動作を説明するフローチャートである。
【符号の説明】
【０１４１】
３１  ディスプレイ，  ３２  表示制御ボックス，  ５１  受光部，  ５２  LVDS送信部，  ５３  単安定マルチバイブレータ，  ５４  電源，  ５５  リレー，  ５６  マイクロコントローラ，  ６１  LVDS受信部，  ６２  マイクロコントローラ，  ８１  ローパスフィルタ，  ９１  遅延回路，  １２１  単安定マルチバイブレータ，  １２２  電源，  １２３  リレー，  １４１  ローパスフィルタ，  １６１  遅延回路
【図１】
2006332926.tif 000003
【図２】
2006332926.tif 000004
【図３】
2006332926.tif 000005
【図４】
2006332926.tif 000006
【図５】
2006332926.tif 000007
【図６】
2006332926.tif 000008
【図７】
2006332926.tif 000009
【図８】
2006332926.tif 000010
【図９】
2006332926.tif 000011
【図１０】
2006332926.tif 000012
【図１１】
2006332926.tif 000013
【図１２】
2006332926.tif 000014
【図１３】
2006332926.tif 000015
【図１４】
2006332926.tif 000016
【図１５】
2006332926.tif 000017
【図１６】
2006332926.tif 000018
【図１７】
2006332926.tif 000019